(57)【特許請求の範囲】
【請求項１】
配線・配管材が載置される載置部と、該載置部の両側に立設された側部とで構成され、
前記載置部を形成する底部と前記側部を形成する立上部とで形成され、前記配線・配管材の布設方向に間隔をおいて配設された金属製の支持線材と、
少なくとも前記支持線材と当接する側面が平面に形成され、前記支持線材の両立上部の上端部の外側面に溶接されて前記支持線材相互を連結する金属製の連結線材と
を備えるとともに、
前記支持線材は、一の受具の支持線材を、他の受具の支持線材に対して長手方向にずらした状態で、前記受具同士を多段に積み重ね可能とすべく、前記連結線材との溶接による融着部の下方において内側に向けて屈曲する段部が形成され、前記段部による屈曲寸法は前記融着部の溶出代より大きく設けられて、前記段部より下方の立上部が他の受具の連結線材間に挿入可能に設けられたことを特徴とする配線・配管材の受具。
【請求項２】
前記連結線材は、支持線材の両立上部の上端部の外側面に一部が該立上部の上端部より上方に突出した状態で溶接されたことを特徴とする請求項１に記載の配線・配管材の受具。
【発明の詳細な説明】
【０００１】
【発明の属する技術分野】
本発明は、金属線材を溶接して網状に形成され、ケーブル等の配線・配管材が載置される配線・配管材の受具に関するもので、特に、運送、保管等において積み重ねできる配線・配管材の受具に関するものである。
【０００２】
【従来の技術】
従来のこの種の配線・配管材の受具として、例えば、特開平７−１８４３０９号公報に掲載の技術が開示されている。
図４及び図５は従来の配線・配管材の受具を示し、受具１は配線・配管材であるケーブルＣが載置される載置部２とその載置部２の両端側から立設した側部３とで形成されている。この受具１は載置部２を形成する底部５と両側部３を形成する立上部６とで略コ字状に屈曲された複数の金属製の支持線材４相互を長手方向に側部３の上端部及び載置部２にそれぞれ配設された金属製の連結線材７及び保持線材９で連結することによって縦横の網状に形成されている。前記支持線材４の立上部６の上端部外側面と前記連結線材７とはそれらが交差する融着部８において溶接により連結されている。また、前記支持線材４の底部５の下側面と保持線材９とにおいても同様に溶接によって連結されている。
【０００３】
【発明が解決しようとする課題】
しかし、前記従来の配線・配管材の受具１は、支持線材４と連結線材７及び保持線材９とを溶接することによって網状に形成したものであるから、支持線材４と連結線材７との融着部８において両者が溶融するため、溶接後は、図６に示すように、両連結線材７の内側寸法Ｌ１が左右の溶出代ａを加えた分だけ支持線材４の立上部６の外側寸法Ｌ２より小さくなってしまう。その結果、保管、運搬等において、一の受具１の支持線材４を他の受具１の支持線材４に対して長手方向即ち布設方向にずらした状態で一の受具１を他の受具１に積み重ねようとしても、支持線材４の立上部６の外側面が連結線材７の内側面と干渉するため、一の受具１の支持線材４を他の受具１の連結線材７間に嵌入することができない。したがって、多数の受具１を無駄な空間を生じることなく上下に多段に積み重ねることができず、保管スペースが大きくなるとともに、運搬も不便であった。
【０００４】
そこで、本発明は、無駄な空間をなくして相互に多段に楽に積み重ねることができ、もって、運送、保管効率を高めることのできる配線・配管材の受具の提供を課題とするものである。
【０００５】
【課題を解決するための手段】
請求項１の発明にかかる配線・配管材の受具は、配線・配管材が載置される載置部を形成する底部と該載置部の両側に立設された側部を形成する立上部とで形成され、前記配線・配管材の布設方向に間隔をおいて配設された金属製の支持線材と、少なくとも前記支持線材と当接する側面が平面に形成され、前記支持線材の両立上部の上端部の外側面に溶接されて前記支持線材相互を連結する金属製の連結線材とを備えるとともに、前記支持線材は、一の受具の支持線材を、他の受具の支持線材に対して長手方向にずらした状態で、前記受具同士を多段に積み重ね可能とすべく、前記連結線材との溶接による融着部の下方において内側に向けて屈曲する段部が形成され、前記段部による屈曲寸法が前記融着部の溶出代より大きく設けられて、前記段部より下方の立上部が他の受具の連結線材間に挿入可能に設けられたものである。
また、請求項２の発明にかかる配線・配管材の受具は、請求項１に記載の連結線材が、支持線材の両立上部の上端部の外側面に一部が該立上部の上端部より上方に突出した状態で溶接されたものである。
【０００６】
【発明の実施の形態】
以下、本発明の実施例を図１乃至図３に基づいて説明する。
図において、受具１は配線・配管材であるケーブルＣが載置される載置部２とその載置部２の両端側から立設した側部３とで形成されている。この受具１は載置部２を形成する底部５と両側部３を形成する立上部６とで略コ字状に屈曲された複数の金属製の支持線材４相互を、長手方向に側部３の上端部及び載置部２にそれぞれ配設された金属製の連結線材７及び保持線材９で連結することによって縦横の網状に形成されている。前記支持線材４の立上部６の上端部外側面と前記連結線材７とはそれらが交差する融着部８において溶接により連結されている。また、前記支持線材４の底部５の下側面と保持線材９とにおいても同様に溶接によって連結されている。
【０００７】
前記連結線材７は上下に扁平化され、少なくとも支持線材４と当接する側面は平面に形成されている。この連結線材７の扁平化は公知の手段によって横方向に押し潰すことによって行なうことができる。なお、前記連結線材７は上下に扁平化されたものでなくてもよい。前記連結部材７は少なくとも支持線材４と当接する側面が平面に形成されていることにより、溶接が容易であり、また、その強度も大きいものが得られる。更に、前記連結線材７は支持線材４の立上部６の上端部より僅かに上方に突出した状態で連結されている。
【０００８】
ここで、前記支持線材４の両立上部６はその中間部に段部状に屈曲した段部６ａが形成されており、前記連結線材７との融着部８より下方部分は上端部に対して段差ｂの寸法だけ受具１の内側に突出している。また、支持線材４と連結線材７とが溶接された融着部８においては支持線材４及び連結線材７双方の溶出により、或いは、支持線材４と連結線材７との材質が相違することによっていずれか一方のみが溶出した場合には、その一方の溶出によって、溶出代ａだけ支持線材４と連結線材７との当接面が他方の部材側に陥入している。ここで、前記段差ｂ即ち立上部６の上端部の外側面と受具１の内側に突出する段部６ａより下方部分の外側面との寸法差は少なくとも溶出代ａより大きく形成されている。ここで、前記段差ｂは請求項の屈曲寸法に相当するものである。
【０００９】
なお、図２において、Ｌ１は融着部８における連結線材７の内側寸法を、Ｌ２は支持線材４の立上部６の外側寸法を示す。ここで、連結線材７の内側寸法Ｌ１と立上部６の外側寸法Ｌ２との間では、前述のように、ｂ＞ａであるから、常にＬ１＞Ｌ２の関係が成立する。
【００１０】
次に、上記のように構成された本実施例の受具の作用を説明する。
本実施例の受具１は、ｂ＞ａとする段部６ａが形成されているので、常にＬ１＞Ｌ２の関係となっており、かつ、連結線材７は受具１の両側部３にそれぞれ１本のみ設けられている。このため、保管、運搬等において、一の受具１の支持線材４を他の受具１の支持線材４に対して長手方向即ち布設方向にずらした状態で受具１同士を上下に積み重ねるときに、一の受具１の支持線材４は他の連結線材７と干渉して阻止されることなく前記連結線材７間に嵌入することができる。そして、嵌入後は、図３に示すように、各受具１の連結線材７同士は上下方向に隙間を生ずることはあっても、少なくとも各受具１の底部５の支持線材４の下面は他の受具１の底部５の支持線材４の上面に確実に当接する。したがって、少なくとも底部の支持線材４が互いに当接した状態で多数の受具１を上下に多段に楽に積み重ねることができるため、コンパクトに保管することができ、運搬も楽に行なうことができる。
【００１１】
また、連結線材７は扁平化され、少なくとも支持線材４と当接する側面は平面に形成されているので、支持線材４が丸棒形状であっても所定位置に容易に溶接することができるとともに、溶接強度を大きくすることができる。
【００１２】
更に、連結線材７は支持線材４の立上部６の上端部より僅かに上方に突出した位置で溶接されているので、受具１の側方から受具１の布設路内にケーブルＣが引き込まれるときにケーブルＣが支持線材４の立上部６の上端角部と接触して傷付くのを防止することができる。
【００１３】
【発明の効果】
以上のように、請求項１の配線・配管材の受具は、配線・配管材が載置される載置部を形成する底部と該載置部の両側に立設された側部を形成する立上部とで形成され、前記配線・配管材の布設方向に間隔をおいて配設された金属製の支持線材と、少なくとも前記支持線材と当接する側面が平面に形成され、前記支持線材の両立上部の上端部の外側面に溶接されて前記支持線材相互を連結する金属製の連結線材とを備えるとともに、前記支持線材は、一の受具の支持線材を、他の受具の支持線材に対して長手方向にずらした状態で、前記受具同士を多段に積み重ね可能とすべく、前記連結線材との溶接による融着部の下方において内側に向けて屈曲する段部が形成され、前記段部による屈曲寸法が前記融着部の溶出代より大きく設けられて、前記段部より下方の立上部が他の受具の連結線材間に挿入可能に設けられたものである。したがって、連結線材の内側寸法は常に支持線材の外側寸法より大きい関係にあるため、一の受具の支持線材を他の受具の支持線材に対して長手方向即ち布設方向にずらした状態で受具同士を上下に積み重ねるときに、一の受具の支持線材を他の連結線材と干渉することなく前記連結線材間に嵌入することができる。この結果、受具同士を上下に多段に積み重ねることができるため、多数の受具を無駄な空間を生じることなくコンパクトに保管することができ、運搬も容易に行なうことができる。
【図面の簡単な説明】
【図１】本発明の実施例の配線・配管材の受具を示す斜視図である。
【図２】図１の受具の正面図である。
【図３】図１の受具を多段に積み重ねた状態を示す正面図である。
【図４】従来の配線・配管材の受具を示す斜視図である。
【図５】図４の受具の支持線材と連結線材とを溶接する前の状態を示す正面図である。
【図６】図４の受具の支持線材と連結線材とを溶接した後の状態を示す正面図である。
【符号の説明】
１        受具
２        載置部
３        側部
４        支持線材
６        立上部
６ａ    段部
７        連結線材
８        融着部
ａ        溶出代
ｂ        段差
Ｃ        ケーブル
Ｌ１    連結線材の内側寸法
Ｌ２    支持線材の外側寸法
【図１】
0003548862.tif 000002
【図２】
0003548862.tif 000003
【図３】
0003548862.tif 000004
【図４】
0003548862.tif 000005
【図５】
0003548862.tif 000006
【図６】
0003548862.tif 000007